(57)【要約】【課題】  複数の色材を刷り重ねて印刷して得られる色を再現するように、その印刷して得られる色のＬ＊ａ＊ｂ＊表色系の値に基づいて出力する色の補正を、印刷して得られる色の種類を判断できるようにして、色の種類に応じて自動的に行うことが可能な色補正方法、また、その色補正方法を用いる色調整方法、及び、その色調整方法を適用したカラー画像形成装置を提供すること。【解決手段】  それぞれの版について色材の色情報を受け付ける段階と、印刷して得られる色を構成する版または版の組み合わせと、受け付けた色情報とから、印刷して得られる色の種類を判断する段階と、判断した色の種類に応じて、前記印刷して得られる色のＬ＊ａ＊ｂ＊表色系の値を補正する段階とを含み、補正されたＬ＊ａ＊ｂ＊表色系の値に基づいて印刷して得られる色を再現するように出力する。【選択図】      図８
2005292220.tif 000002
【特許請求の範囲】
【請求項１】
顔料を含む複数の色材のそれぞれの版を用いて記録媒体上に刷り重ねて印刷して得られる色を再現するように、前記印刷して得られる色のＬ＊ａ＊ｂ＊表色系の値に基づいて出力する色を補正する色補正方法であって、
前記それぞれの版について色材の色情報を受け付ける段階と、
前記印刷して得られる色を構成する版または版の組み合わせと、前記受け付けた色情報とから前記印刷して得られる色の種類を判断する段階と、
前記判断した色の種類に応じて、前記印刷して得られる色のＬ＊ａ＊ｂ＊表色系の値を補正する段階とを含み、
前記出力する色は前記補正されたＬ＊ａ＊ｂ＊表色系の値に基づいて前記印刷して得られる色を再現するように出力することを特徴とする色補正方法。
【請求項２】
前記色の種類は、シアン（Ｃ）、マゼンタ（Ｍ）、イエロー（Ｙ）、ブラック（Ｋ）または特色の各色、または、それらの各色の組み合わせであり、
前記補正は、前記印刷して得られる色の種類が、シアン（Ｃ）、ブラック（Ｋ）、または、前記各色の組み合わせのうち少なくともブラック（Ｋ）を含む組み合わせと前記判断された場合には、前記印刷して得られる色のＬ＊ａ＊ｂ＊表色系の値を補正し、前記シアン（Ｃ）、ブラック（Ｋ）、または、前記各色の組み合わせのうち少なくともブラック（Ｋ）を含む組み合わせ以外と前記判断された場合には、前記印刷して得られる色のＬ＊ａ＊ｂ＊表色系の値はそのままとする請求項１に記載の色補正方法。
【請求項３】
前記色の種類がシアン（Ｃ）であると判断した場合の補正は、前記印刷して得られる色のＬ＊ａ＊ｂ＊表色系の値の少なくともａ＊をプラス側に変化させる請求項２に記載の色補正方法。
【請求項４】
前記色の種類がブラック（Ｋ）であると判断した場合の補正は、前記印刷して得られる色のＬ＊ａ＊ｂ＊表色系の値のＬ＊に応じて新たなＬ＊、ａ＊、ｂ＊表色系の値を求めその値を補正後のＬ＊、ａ＊、ｂ＊表色系の値とし、かつ、その補正傾向は、補正前のＬ＊が大きくなるにつれて補正後のＬ＊が減少する幅が大きくなる請求項２に記載の色補正方法。
【請求項５】
前記色の種類が前記各色の組み合わせのうち少なくともブラック（Ｋ）を含む組み合わせであると判断した場合の補正は、前記印刷して得られる色のＬ＊ａ＊ｂ＊表色系の値のＬ＊が大きくなるにつれてＬ＊が減少する幅が大きくなるようにマイナス側へ変化させる請求項２に記載の色補正方法。
【請求項６】
前記複数の色材をそれぞれ前記記録媒体に印刷して得られるそれぞれの色の分光濃度と前記記録媒体の分光濃度を受け付ける段階を更に含み、
前記補正する段階で用いられる前記印刷して得られる色のＬ＊ａ＊ｂ＊表色系の値は、前記印刷して得られる色が１つの版で構成される場合には、当該１つの版の色材の前記受け付けた分光濃度から前記Ｌ＊ａ＊ｂ＊表色系の値を求め、前記印刷して得られる色が版の組み合わせで構成される場合には、当該組み合わせの版のそれぞれの色材の前記受け付けた分光濃度と前記受け付けた記録媒体の分光濃度とを用いて演算により前記印刷して得られる色の分光濃度を求め、前記演算結果から前記Ｌ＊ａ＊ｂ＊表色系の値を求める請求項１乃至請求項５のいずれかに記載の色補正方法。
【請求項７】
前記演算は、下側になる色の分光濃度を上側になる色材の透明度を示す数値で調整し、上側になる色の分光濃度を上側になる色材が他の色材に乗る状態を示す数値で調整して行う請求項６に記載の色補正方法。
【請求項８】
前記演算は、更に、前記下側になる色の分光濃度と前記上側になる色の分光濃度との積に比例する値とを用いる請求項７に記載の色補正方法。
【請求項９】
顔料を含む複数の色材のそれぞれの網点画像をそれぞれの版を用いて記録媒体上に刷り重ねて印刷して得られる網点画線部の色を目標の色として再現するように、前記網点画線部の色のＬ＊ａ＊ｂ＊表色系の値に基づいて感光材料上の複数の基本色の出力強度を変化させて色調整を行う色調整方法であって、
前記感光材料上の複数の基本色の出力強度とＬ＊ａ＊ｂ＊表色系の値との間の対応関係を示す参照テーブルを予め格納する段階と、
前記それぞれの版について色材の色情報を受け付ける段階と、
前記網点画線部の色を構成する版または版の組み合わせと前記受け付けた色情報とから前記網点画線部の色の種類を判断する段階と、
前記判断した網点画線部の色の種類に応じて、前記網点画線部の色のＬ＊ａ＊ｂ＊表色系の値を補正する段階と、
前記補正されたＬ＊ａ＊ｂ＊表色系の値と前記参照テーブルとにより、前記目標となる色を再現するための前記感光材料上の複数の基本色の出力強度の組み合わせを求めカラーチャンネルテーブルを生成する生成段階と、を含み、
前記カラーチャンネルテーブルに基づいて、前記感光材料上の複数の基本色の出力強度を変化させて色調整を行い前記網点画線部の色を再現することを特徴とする色調整方法。
【請求項１０】
色の種類と、Ｌ＊ａ＊ｂ＊表色系の値についての補正内容を示す色補正テーブルを予め格納する段階を更に含み、
前記補正する段階は、前記色補正テーブルを参照し、前記判断した網点画線部の色の種類に対応する前記補正内容に基づいて前記網点画線部の色のＬ＊ａ＊ｂ＊表色系の値を補正する段階を含む請求項９に記載の色調整方法。
【請求項１１】
前記色の種類は、シアン（Ｃ）、マゼンタ（Ｍ）、イエロー（Ｙ）、ブラック（Ｋ）または特色の各色、または、それらの各色の組み合わせであり、
前記色補正テーブルの補正内容は、前記色の種類が、シアン（Ｃ）、ブラック（Ｋ）、または、前記各色の組み合わせのうち少なくともブラック（Ｋ）を含む組み合わせの場合には、前記網点画線部の色のＬ＊ａ＊ｂ＊表色系の値を補正し、前記シアン（Ｃ）、ブラック（Ｋ）、または、前記各色の組み合わせのうち少なくともブラック（Ｋ）を含む組み合わせ以外の場合には、前記網点画線部のＬ＊ａ＊ｂ＊表色系の値はそのままとする請求項１０に記載の色調整方法。
【請求項１２】
前記色の種類がシアン（Ｃ）の場合の補正内容は、前記網点画線部の色のＬ＊ａ＊ｂ＊表色系の値の少なくともａ＊をプラス側に変化させる請求項１１に記載の色調整方法。
【請求項１３】
前記色の種類がブラック（Ｋ）の場合の補正内容は、前記網点画線部の色のＬ＊ａ＊ｂ＊表色系の値のＬ＊に応じて新たなＬ＊、ａ＊、ｂ＊表色系の値を求めその値を補正後のＬ＊、ａ＊、ｂ＊表色系の値とし、かつ、その補正傾向は、補正前のＬ＊が大きくなるにつれて補正後のＬ＊が減少する幅が大きくなる請求項１１に記載の色調整方法。
【請求項１４】
前記色の種類が前記各色の組み合わせのうち少なくともブラック（Ｋ）を含む組み合わせの場合の補正内容は、前記網点画線部の色のＬ＊ａ＊ｂ＊表色系の値のＬ＊が大きくなるにつれてＬ＊が減少する幅が大きくなるようにマイナス側へ変化させる請求項１１に記載の色調整方法。
【請求項１５】
前記複数の色材をそれぞれ前記記録媒体に印刷して得られるそれぞれの色の分光濃度と前記記録媒体の分光濃度を受け付ける段階を更に含み、
前記補正する段階で用いられる前記網点画線部の色のＬ＊ａ＊ｂ＊表色系の値は、前記網点画線部の色が１つの版で構成される場合には、当該１つの版の色材の前記受け付けた分光濃度から前記Ｌ＊ａ＊ｂ＊表色系の値を求め、前記網点画線部の色が版の組み合わせで構成される場合には、当該組み合わせの版のそれぞれの色材の前記受け付けた分光濃度と前記受け付けた記録媒体の分光濃度とを用いて演算により前記網点画線部の色の分光濃度を求め、前記演算結果から前記Ｌ＊ａ＊ｂ＊表色系の値を求める請求項９乃至請求項１４のいずれかに記載の色調整方法。
【請求項１６】
前記演算は、下側になる色の分光濃度を上側になる色材の透明度を示す数値で調整し、上側になる色の分光濃度を上側になる色材が他の色材に乗る状態を示す数値で調整して行う請求項１５に記載の色調整方法。
【請求項１７】
前記演算は、更に、前記下側になる色の分光濃度と前記上側になる色の分光濃度との積に比例する値とを用いる請求項１６に記載の色調整方法。
【請求項１８】
顔料を含む複数の色材のそれぞれの網点画像をそれぞれの版を用いて記録媒体上に刷り重ねて印刷して得られる網点画線部の色を目標の色として前記網点画線部の色のＬ＊ａ＊ｂ＊表色系の値に基づいて感光材料上の複数の基本色の出力強度を変化させて再現しつつカラー画像を形成するカラー画像形成装置であって、
前記感光材料上の複数の基本色の出力強度とＬ＊ａ＊ｂ＊表色系の値との間の対応関係を示す参照テーブルと、
前記それぞれの版について色材の色情報を受け付ける受け付け手段と、
前記網点画線部の色を構成する版または版の組み合わせと前記受け付けた色情報とから前記網点画線部の色の種類を判断する判断手段と、
前記判断した網点画線部の色の種類に応じて、前記網点画線部の色のＬ＊ａ＊ｂ＊表色系の値を補正する補正手段と、
前記補正されたＬ＊ａ＊ｂ＊表色系の値と前記参照テーブルとにより、前記目標となる色を再現するための前記感光材料上の複数の基本色の出力強度の組み合わせを求めカラーチャンネルテーブルを生成する生成手段と、
前記カラー画像を形成する際に、前記カラーチャンネルテーブルに基づいて、前記感光材料上の複数の基本色の出力強度を変化させるように制御する制御手段と、を有することを特徴とするカラー画像形成装置。
【請求項１９】
色の種類と、Ｌ＊ａ＊ｂ＊表色系の値についての補正内容を示す色補正テーブルを更に有し、
前記補正手段は、前記色補正テーブルを参照し、前記判断した網点画線部の色の種類に対応する前記補正内容に基づいて前記網点画線部の色のＬ＊ａ＊ｂ＊表色系の値を補正する請求項１８に記載のカラー画像形成装置。
【請求項２０】
前記受け付け手段は、更に、前記複数の色材をそれぞれ前記記録媒体に印刷して得られるそれぞれの色の分光濃度と前記記録媒体の分光濃度を受け付け、
前記補正手段による補正に用いる網点画線部の色のＬ＊ａ＊ｂ＊表色系の値を、前記網点画線部の色が１つの版で構成される場合には、当該１つの版の色材の前記受け付けた分光濃度から求め、前記網点画線部の色が版の組み合わせで構成される場合には、当該組み合わせの版のそれぞれの色材の前記受け付けた分光濃度と前記受け付けた記録媒体の分光濃度とを用いて演算により前記網点画線部の色の分光濃度を求め、前記演算結果から求める演算手段を更に有する請求項１８または請求項１９に記載のカラー画像形成装置。
【発明の詳細な説明】
【技術分野】
【０００１】
本発明は、目標とする色に出力する色を合わせるための色補正方法、その色補正方法を用いる色調整方法及びその色調整方法を適用したカラー画像形成装置に関し、特に、複数の色材のそれぞれの網点画像を記録媒体上に刷り重ねて印刷して得られる網点画線部の色を目標の色として再現するように感光材料上の複数の基本色の出力強度を変化させて出力する色の調整を行うものに関する。
【背景技術】
【０００２】
近年、ＤＴＰ（Ｄｅｓｋ  Ｔｏｐ  Ｐｕｂｌｉｓｈｉｎｇ）等の普及により、スキャナから入力した画像をコンピュータのソフトウエア上で画像編集、ページ面付けする作業が一般化し、フルデジタルでの編集も珍しくなくなってきている。
【０００３】
このような工程では、さらなる効率化を目指して、フィルムにページ編集済みの画像データを直接出力するイメージセッター出力や、印刷版に直接画像記録を行うＣＴＰ（Ｃｏｍｐｕｔｅｒ  ｔｏ  Ｐｌａｔｅ）出力、さらには、印刷機のシリンダー上に巻かれた印刷版に直接画像記録を行うＣＴＣ（Ｃｏｍｐｕｔｅｒ  ｔｏ  Ｃｙｌｉｎｄｅｒ）が行われる。
【０００４】
また、このような印刷工程における校正のプロセスでは、（１）作業現場内部ミスの確認、すなわち内校、（２）発注主、デザイナーへの仕上がり確認用の提出される外校、（３）印刷機の機長に対して、最終印刷物の見本として提供される印刷見本、の主として３つの用途にプルーフが作成、使用される。
【０００５】
このように、カラー印刷を作成する際には、原稿フィルムの段階で色校正を行うことにより、Ｃ（シアン）版、Ｍ（マゼンダ）版、Ｙ（イエロー）版、及びＢＫ（墨色）版に分解された各色分解網原稿フィルムを使って校正物（カラープルーフ）を作成し、本番の印刷版を作成する前に、原稿フィルムのレイアウトに間違いないか、色間違いないか、文字の誤りがないか等を検査し、印刷物の仕上がりを事前に確認するようにしていた。
【０００６】
この場合、校正確認の為だけに一端フィルム出力や印刷版出力を行い、印刷校正や、その他の校正材料による校正を行うことは、フィルム、印刷版のムダや余計な作業が多くなる問題がある。
【０００７】
その為、特に、このようなコンピュータによるフルデジタルの画像作成、編集を行う工程では、ＤＤＣＰ（Ｄｉｒｅｃｔ  Ｄｉｇｉｔａｌ  Ｃｏｌｏｒ  Ｐｒｏｏｆ）ないしはＤＣＰ（Ｄｉｇｉｔａｌ  Ｃｏｌｏｒ  Ｐｒｏｏｆ）と呼ばれる直接カラー画像出力を行うシステムが求められている。
【０００８】
このようなＤＤＣＰは、コンピュータ上で加工されたデジタル画像データからイメージセッターなどで製版用フィルム上に記録したり、ＣＴＰで直接印刷版を作成する最終的な印刷作業を行ったり、ＣＴＣで印刷機のシリンダー上に巻かれた印刷版に直接画像記録を行ったりなどする前に、コンピュータ上で加工されたデジタル画像が示す出力対象を再現するカラープルーフを作成し、その絵柄、色調、文章文字等の確認を行うものである。
【０００９】
また、カラープルーフを作成するものとして、各色分解網原稿の網点画像データに基づいて、銀塩カラー感光材料（感光材料）に、例えば、Ｒ（レッド）、Ｇ（グリーン）、Ｂ（ブルー）等の波長の異なる複数の光の組み合わせからなる光点を露光して、３つの基本色Ｙ、Ｍ、Ｃの各ドットを発色させることで網点画像を再現してカラープルーフを作成するカラープルーフ作成装置がある。またその中に、印刷機でインキを刷り重ねて得られる網点画線部の色及び印刷用紙（記録媒体）の地色を再現するように、各々の色について３つの基本色の出力強度を変化させることで色調整し出力するタイプのＤＤＣＰがある（例えば、特許文献１。）。
【００１０】
ところが、上記色調整を行うためには、複数のインキのそれぞれの単色である１次色、複数のインキを組み合わせた色である多次色を印刷機で出力し、それらの色及び印刷用紙の地色の表色系の値（例えば、Ｌ＊ａ＊ｂ＊表色系の値）を求める必要があったが、多次色については、演算で推定により求めることが提案されている。
【００１１】
例えば、顔料を含むインキを刷り重ねて得られる色の表色系の値を、下側となる色及び上側となる色の色特性の値を用い演算して推定する方法、例えば、下側となる色及び上側となる色の分光濃度から推定する色推定方法（特願２００３−０５５３６５）、また、下側となる色及び上側となる色のＬ＊ａ＊ｂ＊表色系の値とＬ＊ａ＊ｂ＊表色系の値を求めるために用いる分光特性とは異なる分光特性による濃度から推定する色推定方法（例えば、特願２００３−２９２８８９）を本出願人は提案している。
【００１２】
一方、上述の銀塩カラー感光材料を用いたカラープルーフを作成するカラープルーフ作成装置で、印刷して得られる１次色、多次色を再現するように、Ｌ＊ａ＊ｂ＊表色系の値に基づいて３つの基本色の出力強度を変化させ出力する場合に、銀塩カラー感光材料に用いる色材の特性によっては、特定の色について出力した色が印刷して得られた色と違って見える場合がある。そこで、印刷して得られる１次色、多次色のＬ＊ａ＊ｂ＊表色系の値をその色に応じて補正し、補正したＬ＊ａ＊ｂ＊表色系の値を用いて３つの基本色の出力強度を求めて、その結果に基づいて出力を行うことが提案されている。
【００１３】
【特許文献１】特開２００３−１４９７９６号公報（段落〔０１１９〕−〔０１６８〕、第３図〜第５図）
【発明の開示】
【発明が解決しようとする課題】
【００１４】
しかしながら、印刷して得られる１次色、多次色のＬ＊ａ＊ｂ＊表色系の値は、各版の色材の各分光濃度から求めることはできるが、その１次色、多次色がいわゆる何色（シアン、赤などの色の種類）なのかは判断できない。つまり、その１次色、多次色の版の構成は判るが、用いる色材は自由に選択することが可能であるから、版の構成だけでは色の種類は分からないのである。したがって、上述のように、特定の色についてＬ＊ａ＊ｂ＊表色系の値を補正する必要がある場合でも、得られたＬ＊ａ＊ｂ＊表色系の値の中のどれがその特定の色なのか判断できないので、自動的に補正を行うことができず、例えば作業者が版と色材を確認しながら手動で補正しなければならなかった。
【００１５】
本発明は、上記事情に鑑みてなされたものであり、その目的とするところは、複数の色材を刷り重ねて印刷して得られる色を再現するように、その印刷して得られる色のＬ＊ａ＊ｂ＊表色系の値に基づいて出力する色の補正を、印刷して得られる色の種類を判断できるようにして、色の種類に応じて自動的に行うことが可能な色補正方法、また、その色補正方法を用いる色調整方法、及び、その色調整方法を適用したカラー画像形成装置を提供することにある。
【課題を解決するための手段】
【００１６】
上記目的を達成するために、請求項１記載の発明は、顔料を含む複数の色材のそれぞれの版を用いて記録媒体上に刷り重ねて印刷して得られる色を再現するように、前記印刷して得られる色のＬ＊ａ＊ｂ＊表色系の値に基づいて出力する色を補正する色補正方法であって、前記それぞれの版について色材の色情報を受け付ける段階と、前記印刷して得られる色を構成する版または版の組み合わせと、前記受け付けた色情報とから前記印刷して得られる色の種類を判断する段階と、前記判断した色の種類に応じて、前記印刷して得られる色のＬ＊ａ＊ｂ＊表色系の値を補正する段階とを含み、前記出力する色は前記補正されたＬ＊ａ＊ｂ＊表色系の値に基づいて前記印刷して得られる色を再現するように出力することを特徴としている。
【００１７】
また、請求項２記載の発明は、前記色の種類は、シアン（Ｃ）、マゼンタ（Ｍ）、イエロー（Ｙ）、ブラック（Ｋ）または特色の各色、または、それらの各色の組み合わせであり、前記補正は、前記印刷して得られる色の種類が、シアン（Ｃ）、ブラック（Ｋ）、または、前記各色の組み合わせのうち少なくともブラック（Ｋ）を含む組み合わせと前記判断された場合には、前記印刷して得られる色のＬ＊ａ＊ｂ＊表色系の値を補正し、前記シアン（Ｃ）、ブラック（Ｋ）、または、前記各色の組み合わせのうち少なくともブラック（Ｋ）を含む組み合わせ以外と前記判断された場合には、前記印刷して得られる色のＬ＊ａ＊ｂ＊表色系の値はそのままとすることを特徴としている。
【００１８】
また、請求項３記載の発明は、前記色の種類がシアン（Ｃ）であると判断した場合の補正は、前記印刷して得られる色のＬ＊ａ＊ｂ＊表色系の値の少なくともａ＊をプラス側に変化させることを特徴としている。
【００１９】
また、請求項４記載の発明は、前記色の種類がブラック（Ｋ）であると判断した場合の補正は、前記印刷して得られる色のＬ＊ａ＊ｂ＊表色系の値のＬ＊に応じて新たなＬ＊、ａ＊、ｂ＊表色系の値を求めその値を補正後のＬ＊、ａ＊、ｂ＊表色系の値とし、かつ、その補正傾向は、補正前のＬ＊が大きくなるにつれて補正後のＬ＊が減少する幅が大きくなることを特徴としている。
【００２０】
また、請求項５記載の発明は、前記色の種類が前記各色の組み合わせのうち少なくともブラック（Ｋ）を含む組み合わせであると判断した場合の補正は、前記印刷して得られる色のＬ＊ａ＊ｂ＊表色系の値のＬ＊が大きくなるにつれてＬ＊が減少する幅が大きくなるようにマイナス側へ変化させることを特徴としている。
【００２１】
また、請求項６記載の発明は、前記複数の色材をそれぞれ前記記録媒体に印刷して得られるそれぞれの色の分光濃度と前記記録媒体の分光濃度を受け付ける段階を更に含み、前記補正する段階で用いられる前記印刷して得られる色のＬ＊ａ＊ｂ＊表色系の値は、前記印刷して得られる色が１つの版で構成される場合には、当該１つの版の色材の前記受け付けた分光濃度から前記Ｌ＊ａ＊ｂ＊表色系の値を求め、前記印刷して得られる色が版の組み合わせで構成される場合には、当該組み合わせの版のそれぞれの色材の前記受け付けた分光濃度と前記受け付けた記録媒体の分光濃度とを用いて演算により前記印刷して得られる色の分光濃度を求め、前記演算結果から前記Ｌ＊ａ＊ｂ＊表色系の値を求めることを特徴としている。
【００２２】
また、請求項７記載の発明は、下側になる色の分光濃度を上側になる色材の透明度を示す数値で調整し、上側になる色の分光濃度を上側になる色材が他の色材に乗る状態を示す数値で調整して行うことを特徴としている。
【００２３】
また、請求項８記載の発明は、前記演算は、更に、前記下側になる色の分光濃度と前記上側になる色の分光濃度との積に比例する値とを用いることを特徴としている。
【００２４】
また、請求項９記載の発明は、顔料を含む複数の色材のそれぞれの網点画像をそれぞれの版を用いて記録媒体上に刷り重ねて印刷して得られる網点画線部の色を目標の色として再現するように、前記網点画線部の色のＬ＊ａ＊ｂ＊表色系の値に基づいて感光材料上の複数の基本色の出力強度を変化させて色調整を行う色調整方法であって、前記感光材料上の複数の基本色の出力強度とＬ＊ａ＊ｂ＊表色系の値との間の対応関係を示す参照テーブルを予め格納する段階と、前記それぞれの版について色材の色情報を受け付ける段階と、前記網点画線部の色を構成する版または版の組み合わせと前記受け付けた色情報とから前記網点画線部の色の種類を判断する段階と、前記判断した網点画線部の色の種類に応じて、前記網点画線部の色のＬ＊ａ＊ｂ＊表色系の値を補正する段階と、前記補正されたＬ＊ａ＊ｂ＊表色系の値と前記参照テーブルとにより、前記目標となる色を再現するための前記感光材料上の複数の基本色の出力強度の組み合わせを求めカラーチャンネルテーブルを生成する生成段階と、を含み、前記カラーチャンネルテーブルに基づいて、前記感光材料上の複数の基本色の出力強度を変化させて色調整を行い前記網点画線部の色を再現することを特徴としている。
【００２５】
また、請求項１０記載の発明は、色の種類と、Ｌ＊ａ＊ｂ＊表色系の値についての補正内容を示す色補正テーブルを予め格納する段階を更に含み、前記補正する段階は、前記色補正テーブルを参照し、前記判断した網点画線部の色の種類に対応する前記補正内容に基づいて前記網点画線部の色のＬ＊ａ＊ｂ＊表色系の値を補正する段階を含むことを特徴としている。
【００２６】
また、請求項１１記載の発明は、前記色の種類は、シアン（Ｃ）、マゼンタ（Ｍ）、イエロー（Ｙ）、ブラック（Ｋ）または特色の各色、または、それらの各色の組み合わせであり、前記色補正テーブルの補正内容は、前記色の種類が、シアン（Ｃ）、ブラック（Ｋ）、または、前記各色の組み合わせのうち少なくともブラック（Ｋ）を含む組み合わせの場合には、前記網点画線部の色のＬ＊ａ＊ｂ＊表色系の値を補正し、前記シアン（Ｃ）、ブラック（Ｋ）、または、前記各色の組み合わせのうち少なくともブラック（Ｋ）を含む組み合わせ以外の場合には、前記網点画線部のＬ＊ａ＊ｂ＊表色系の値はそのままとすることを特徴としている。
【００２７】
また、請求項１２記載の発明は、前記色の種類がシアン（Ｃ）の場合の補正内容は、前記網点画線部の色のＬ＊ａ＊ｂ＊表色系の値の少なくともａ＊をプラス側に変化させることを特徴としている。
【００２８】
また、請求項１３記載の発明は、前記色の種類がブラック（Ｋ）の場合の補正内容は、前記網点画線部の色のＬ＊ａ＊ｂ＊表色系の値のＬ＊に応じて新たなＬ＊、ａ＊、ｂ＊表色系の値を求めその値を補正後のＬ＊、ａ＊、ｂ＊表色系の値とし、かつ、その補正傾向は、補正前のＬ＊が大きくなるにつれて補正後のＬ＊が減少する幅が大きくなることを特徴としている。
【００２９】
また、請求項１４記載の発明は、前記色の種類が前記各色の組み合わせのうち少なくともブラック（Ｋ）を含む組み合わせの場合の補正内容は、前記網点画線部の色のＬ＊ａ＊ｂ＊表色系の値のＬ＊が大きくなるにつれてＬ＊が減少する幅が大きくなるようにマイナス側へ変化させることを特徴としている。
【００３０】
また、請求項１５記載の発明は、前記複数の色材をそれぞれ前記記録媒体に印刷して得られるそれぞれの色の分光濃度と前記記録媒体の分光濃度を受け付ける段階を更に含み、前記補正する段階で用いられる前記網点画線部の色のＬ＊ａ＊ｂ＊表色系の値は、前記網点画線部の色が１つの版で構成される場合には、当該１つの版の色材の前記受け付けた分光濃度から前記Ｌ＊ａ＊ｂ＊表色系の値を求め、前記網点画線部の色が版の組み合わせで構成される場合には、当該組み合わせの版のそれぞれの色材の前記受け付けた分光濃度と前記受け付けた記録媒体の分光濃度とを用いて演算により前記網点画線部の色の分光濃度を求め、前記演算結果から前記Ｌ＊ａ＊ｂ＊表色系の値を求めることを特徴としている。
【００３１】
また、請求項１６記載の発明は、前記演算は、下側になる色の分光濃度を上側になる色材の透明度を示す数値で調整し、上側になる色の分光濃度を上側になる色材が他の色材に乗る状態を示す数値で調整して行うことを特徴としている。
【００３２】
また、請求項１７記載の発明は、前記演算は、更に、前記下側になる色の分光濃度と前記上側になる色の分光濃度との積に比例する値とを用いることを特徴としている。
【００３３】
また、請求項１８記載の発明は、顔料を含む複数の色材のそれぞれの網点画像をそれぞれの版を用いて記録媒体上に刷り重ねて印刷して得られる網点画線部の色を目標の色として前記網点画線部の色のＬ＊ａ＊ｂ＊表色系の値に基づいて感光材料上の複数の基本色の出力強度を変化させて再現しつつカラー画像を形成するカラー画像形成装置であって、前記感光材料上の複数の基本色の出力強度とＬ＊ａ＊ｂ＊表色系の値との間の対応関係を示す参照テーブルと、前記それぞれの版について色材の色情報を受け付ける受け付け手段と、前記網点画線部の色を構成する版または版の組み合わせと前記受け付けた色情報とから前記網点画線部の色の種類を判断する判断手段と、前記判断した網点画線部の色の種類に応じて、前記網点画線部の色のＬ＊ａ＊ｂ＊表色系の値を補正する補正手段と、前記補正されたＬ＊ａ＊ｂ＊表色系の値と前記参照テーブルとにより、前記目標となる色を再現するための前記感光材料上の複数の基本色の出力強度の組み合わせを求めカラーチャンネルテーブルを生成する生成手段と、前記カラー画像を形成する際に、前記カラーチャンネルテーブルに基づいて、前記感光材料上の複数の基本色の出力強度を変化させるように制御する制御手段と、を有することを特徴としている。
【００３４】
また、請求項１９記載の発明は、色の種類と、Ｌ＊ａ＊ｂ＊表色系の値についての補正内容を示す色補正テーブルを更に有し、前記補正手段は、前記色補正テーブルを参照し、前記判断した網点画線部の色の種類に対応する前記補正内容に基づいて前記網点画線部の色のＬ＊ａ＊ｂ＊表色系の値を補正することを特徴としている。
【００３５】
また、請求項２０記載の発明は、前記受け付け手段は、更に、前記複数の色材をそれぞれ前記記録媒体に印刷して得られるそれぞれの色の分光濃度と前記記録媒体の分光濃度を受け付け、前記補正手段による補正に用いる網点画線部の色のＬ＊ａ＊ｂ＊表色系の値を、前記網点画線部の色が１つの版で構成される場合には、当該１つの版の色材の前記受け付けた分光濃度から求め、前記網点画線部の色が版の組み合わせで構成される場合には、当該組み合わせの版のそれぞれの色材の前記受け付けた分光濃度と前記受け付けた記録媒体の分光濃度とを用いて演算により前記網点画線部の色の分光濃度を求め、前記演算結果から求める演算手段を更に有することを特徴としている。
【発明の効果】
【００３６】
請求項１に記載の色補正方法によれば、印刷して得られる色を構成する版または版の組み合わせとそれぞれの版についての色材の色情報とから色の種類を判断するので、印刷して得られる色のＬ＊ａ＊ｂ＊表色系の値を色の種類に応じて自動的に補正することができる。
【００３７】
請求項２に記載の色補正方法によれば、色の種類がＣ、Ｋ及びＫと他の色の組み合わせの場合に、Ｌ＊ａ＊ｂ＊表色系の値を自動的に補正することができる。
【００３８】
請求項３に記載の色補正方法によれば、出力するＣの色調を合わせこむことができる。
【００３９】
請求項４に記載の色補正方法によれば、出力するＫの色調及び濃度を合わせこむことができる。
【００４０】
請求項５に記載の色補正方法によれば、出力するＫと他の色の組み合わせの濃度を出力するＫの濃度に合わせて補正することができる。
【００４１】
請求項６に記載の色補正方法によれば、複数の色材をそれぞれ記録媒体に印刷して得られるそれぞれの色の分光濃度と記録媒体の分光濃度を受け付けて、それらの分光濃度を用いて補正に用いる印刷して得られる色のＬ＊ａ＊ｂ＊表色系の値を求めることができる。
【００４２】
請求項７に記載の色補正方法によれば、下側になる分光濃度を上側の色材の透明度を示す値で調整し、上側になる分光濃度を他の色材に乗る状態を示す数値で調整することにより、印刷して得られる色を高い精度で求めることができる。
【００４３】
請求項８に記載の色補正方法によれば、下側になる色材自体の分光濃度または上側になる色材自体の分光濃度が比較的高い濃度を示す波長で、刷り重ねて印刷して得られる色の分光濃度を更に補正することにより、印刷して得られる色を高い精度で求めることができる。
【００４４】
請求項９に記載の色調整方法によれば、網点画線部の色を構成する版または版の組み合わせとそれぞれの版についての色材の色情報とから色の種類を判断するので、網点画線部の色のＬ＊ａ＊ｂ＊表色系の値を色の種類に応じて自動的に補正することができ、その補正したＬ＊ａ＊ｂ＊表色系の値に基づいて感光材料上の複数の基本色の出力強度を変化させて色調整を行うことができる。
【００４５】
請求項１０に記載の色調整方法によれば、色の種類と補正内容を示す色補正テーブルに基づいて自動的に網点画線部の色のＬ＊ａ＊ｂ＊表色系の値を補正することができる。
【００４６】
請求項１１に記載の色調整方法によれば、色補正テーブルに基づいて、色の種類がＣ、Ｋ及びＫと他の色の組み合わせの場合に、Ｌ＊ａ＊ｂ＊表色系の値を自動的に補正することができる。
【００４７】
請求項１２に記載の色調整方法によれば、出力するＣの色調を合わせこむことができる。
【００４８】
請求項１３に記載の色調整方法によれば、出力するＫの色調及び濃度を合わせこむことができる。
【００４９】
請求項１４に記載の色調整方法によれば、出力するＫと他の色の組み合わせの濃度を出力するＫの濃度に合わせて補正することができる。
【００５０】
請求項１５に記載の色調整方法によれば、複数の色材をそれぞれ記録媒体に印刷して得られるそれぞれの色の分光濃度と記録媒体の分光濃度を受け付けて、それらの分光濃度を用いて網点画線部の色のＬ＊ａ＊ｂ＊表色系の値を求めることができる。
【００５１】
請求項１６に記載の色調整方法によれば、下側になる分光濃度を上側の色材の透明度を示す値で調整し、上側になる分光濃度を他の色材に乗る状態を示す数値で調整することにより、網点画線部の色を高い精度で求めることができる。
【００５２】
請求項１７に記載の色調整方法によれば、下側になる色材自体の分光濃度または上側になる色材自体の分光濃度が比較的高い濃度を示す波長で、刷り重ねて印刷して得られる色の分光濃度を更に補正することにより、網点画線部の色を高い精度で求めることができる。
【００５３】
請求項１８に記載のカラー画像形成装置によれば、網点画線部の色を構成する版または版の組み合わせとそれぞれの版についての色材の色情報とから色の種類を判断するので、網点画線部の色のＬ＊ａ＊ｂ＊表色系の値を色の種類に応じて自動的に補正することができ、その補正したＬ＊ａ＊ｂ＊表色系の値に基づいて感光材料上の複数の基本色の出力強度を変化させてカラー画像を形成することができる。
【００５４】
請求項１９に記載のカラー画像形成装置によれば、色の種類と補正内容を示す色補正テーブルに基づいて自動的に網点画線部の色のＬ＊ａ＊ｂ＊表色系の値を補正することができる。
【００５５】
請求項２０に記載のカラー画像形成装置によれば、複数の色材をそれぞれ記録媒体に印刷して得られるそれぞれの色の分光濃度と記録媒体の分光濃度を受け付けて、それらの分光濃度を用いて網点画線部の色のＬ＊ａ＊ｂ＊表色系の値を求めることができる。
【発明を実施するための最良の形態】
【００５６】
本発明は、複数インキ（色材）のそれぞれの網点画像をそれぞれの版を用いて印刷用紙（記録媒体）上に刷り重ねて印刷して得られる１／多次色（網点画線部の色）を再現するために、１／多次色に応じて複数の基本色の出力強度を変化させて出力する色の補正に関する。
【００５７】
また、網点画線部の色である１／多次色について説明する。１次色とは複数の版の内の１つの版のインキによる色で、多次色とは、例えば、２次色、３次色、４次色等で、２次色とは複数の版の内の２つの版のインキを組み合わせによる色、３次色とは複数の版の内の３つの版のインキを組み合わせによる色、４次色とは複数の版の内の４つの版のインキを組み合わせによる色のことである。（２次色、３次色、４次色（以下、まとめて２／３／４次色または多次色と記す場合もある。また、１次色もまとめて１／２／３／４次色と記す場合もある。）
また、以下の説明で用いる色特性の値として、光の各波長λに対する透過濃度（以下、分光濃度と表記する。）を用いて行う方法について述べる。
【００５８】
ここで、分光濃度とは、例えば３８０ｎｍから７３０ｎｍの間で１０ｎｍ毎に波長を変えて反射率Ｒを測定し、その反射率Ｒから、
−０．５×ＬＯＧ１０（Ｒ）
の式により濃度に変換したものである。
【００５９】
また、Ｌ＊ａ＊ｂ＊表色系の値とは、色を表す表色系の値の１つであり、Ｌ＊軸、ａ＊軸、ｂ＊軸の３次元空間で色を表すもので、ａ＊ｂ＊平面により色あい及び彩度が表され、Ｌ＊はａ＊ｂ＊平面に直交し明度を表す色特性の値である。また、Ｌ＊ａ＊ｂ＊表色系の値は、人間の眼の感度に相当するものとしてＣＩＥ（Ｃｏｍｍｉｓｓｉｏｎ  Ｉｎｔｅｒｎａｔｉｏｎａｌｅ  ｄｅ  ｌ’Ｅｃｌａｉｒａｇｅ；国際照明委員会）で定められたｘ−ｂａｒ，ｙ−ｂａｒ、ｚ−ｂａｒの分光特性（所定の分光特性）で光量を積算して求めたＸＹＺ表色系の値に基づくものである。
【００６０】
以下、本発明を説明するにあたり、一例としてカラープルーフ作成装置（カラー画像形成装置）に適用した実施の形態を示し、図面を参照して具体的に説明する。
【００６１】
（カラープルーフ作成装置の制御構成）
まず、本実施の形態のカラープルーフ作成装置は、印刷機で複数のインキのそれぞれの網点画像をそれぞれの版を用いて印刷用紙上に刷り重ねて印刷して得られる網点画線部の色である１／多次色を目標の色とし、その目標とする色をカラープルーフ作成装置における複数の基本色（Ｙ（イエロー）、Ｍ（マゼンタ）、Ｃ（シアン）、以下「Ｃ、Ｍ、Ｙ」、「ＹＭＣ」、「ＣＭＹ」と順序などを変えて記す場合もある。）の出力強度を変化させて再現しつつカラー画像を出力するものであり、本発明の色補正方法を用いた色調整方法を適用して好適なものである。また、特にインキが顔料を含む場合に好適に作用するものである。また、カラープルーフ作成装置が銀塩カラー感光材料（感光材料）に、例えば、Ｒ（レッド）、Ｇ（グリーン）、Ｂ（ブルー）等の波長の異なる複数の光の組み合わせからなる光点を露光して、３つの基本色Ｙ、Ｍ、Ｃの各ドットを発色させることでカラープルーフを作成するものの場合に好適に作用する。
【００６２】
図１にカラープルーフ作成装置の機能ブロック図を示す。図１に示すように、本実施の形態のカラープルーフ作成装置は、制御部１、色演算部２、カラーチャンネル作成部３、画像記録部４及び入力手段５で構成される。さらに、各部の詳細を以下に述べる。
【００６３】
色演算部２は、色演算手段２１、色特性テーブル２２、係数テーブル２３、色テーブル２４、色補正手段２５、色補正テーブル２６及び色情報テーブル２７からなる。
【００６４】
色特性テーブル２２は、インキ単色（１次色）、及び、印刷用紙の地色を測定した各分光濃度を格納する。また、印刷に用いられるインキは、Ｃ、Ｍ、Ｙ、Ｋ（ブラック）、及び、特色（Ｒ（赤）、Ｇ（緑）等々）である。
【００６５】
さらに、図２に色特性テーブル２２の構成を示す。図２には、１乃至３版の３つを用いた例を示し、各版の単色及び印刷用紙の地色の各分光濃度で構成されている。ただし、分光濃度を示す各数値の表記は省略した。
【００６６】
係数テーブル２３は、透明度係数ａ、トラッピング率係数ｂ及び補正係数ｃを例えば図３に示すように格納する格納手段である。透明度係数ａとは、インキの透明度を示す数値で、インキを刷り重ねた場合に、下側となる色の分光濃度を補正するための係数である。また、トラッピング率係数ｂとは、他のインキに乗りやすいか乗りにくいか、言い換えれば、他のインキ上に乗る状態を示す数値で、上側となるインキの色の分光濃度を補正するための係数である。補正係数ｃとは、後述する色の推定で用いる式に含まれる補正項に用いる係数である。
【００６７】
また、インキが完全に透明ならば、透明度係数ａは「１」であり、完全に不透明ならば、透明度係数ａは「０」であるから、透明度係数ａは、０から１の間の定数である。また、トラッピング率係数ｂは、印刷用紙についての値を１とすれば、一般的に印刷用紙に比べ、インキに対するのりは落ちるものであるから、トラッピング率係数ｂは、０から１の間の定数である。
【００６８】
また、上述の色特性テーブル２２の分光濃度や、係数テーブル２３の各係数は、入力手段５を用いて入力される。また、係数テーブル２３の各係数は、カラープルーフ作成装置の内部に備えられたＨＤＤ（Ｈａｒｄ  Ｄｉｓｋ  Ｄｒｉｖｅ）等の記憶手段に当初から組み込まれているものでもよい。
【００６９】
色演算手段２１は、係数テーブル２３の各係数を用いて、色特性テーブル２２に格納されている各版のインキ単色の分光濃度から刷り重ねて印刷して得られる色の分光濃度を求める演算手段としての機能や、分光濃度をＬ＊ａ＊ｂ＊表色系の値に変換する色変換手段としての機能を備える。詳細な演算方法は後述する。
【００７０】
色情報テーブル２７は、各版、または、版の組み合わせについての色情報を格納している。例えば、図４に示すように、１版はＣ、２版は特色、３版はＫと各版の色情報と、各版を組み合わせた場合の色情報と格納している。また、この色情報は、入力手段５を用いて各版の色情報が入力され、制御部１で各版を組み合わせた場合の色情報を作成し格納される。
【００７１】
色補正テーブル２６は、図５に示すような構成で、Ｌ＊ａ＊ｂ＊表色系の値の補正を要する色の種類と、その補正内容を予め格納している。
【００７２】
色補正手段２５は、色演算手段２１により求めたＬ＊ａ＊ｂ＊表色系の値を補正するもので、色情報テーブル２７を参照して１／多次色の各色の各々の色の種類を判断する判断手段としての機能、判断した色の種類を色補正テーブル２６を参照して、その色の種類があればその補正内容に基づいてＬ＊ａ＊ｂ＊表色系の値を補正し、なければそのままとする本発明の色補正手段としての機能、及び、Ｌ＊ａ＊ｂ＊表色系の値を色テーブル２４に格納する機能を備える。
【００７３】
色テーブル２４は、図６に示すような構成で、各版または版の組み合わせのＬ＊ａ＊ｂ＊表色系の値を格納する。また、図６には、印刷の版に１〜３版の３つを用いた例を示した。
【００７４】
入力手段５は、例えば、印刷に使用する版や各版のインキの色、カラープルーフの作成の指示を入力するためのものである。また、上述の各１次色の分光濃度、各係数及び色情報を入力するためのものである。また、入力手段は、例えば、測定器と接続するためのインターフェイスや、分光濃度の測定結果や各係数が入力されたＦＤ（Ｆｌｏｐｐｙ（登録商標）  Ｄｉｓｋ）等を出し入れ可能に装着する読取装置のようなものであってもよい。
【００７５】
カラーチャンネル作成部３は、カラーチャンネル演算手段３１と、参照テーブル３２及びカラーチャンネルテーブル３３からなる。
【００７６】
参照テーブル３２は、画像記録部４における出力特性としてＬ＊ａ＊ｂ＊表色系の値に対応するカラー銀塩感光材料上の各基本色の出力強度の組み合わせとの相関関係を定義したＬ＊ａ＊ｂ＊→ＣＭＹ  ＬＵＴを格納している。このＬ＊ａ＊ｂ＊→ＣＭＹ  ＬＵＴは、本出願人による特願２００３−０６４６２９号の明細書に記載されているように、画像記録部４（後述）のＣ，Ｍ，Ｙの出力強度を最小値０から最大値までの間で等分割してそれぞれの出力を組み合わせた複数のカラー画像を配置したカラーチャートを出力し、その複数のカラー画像のＬ＊ａ＊ｂ＊表色系の値を測色し、そのときのＣ，Ｍ，Ｙの出力強度の組み合わせとＬ＊ａ＊ｂ＊表色系の値とからＣＭＹ→Ｌ＊ａ＊ｂ＊  ＬＵＴを作成し、そのＣＭＹ→Ｌ＊ａ＊ｂ＊  ＬＵＴを用いてＬ＊（０〜１００）、ａ＊、（−１２７〜１２８）、ｂ＊（−１２７〜１２８）を等分割したそれぞれの組み合わせに対するＣ，Ｍ，Ｙの出力強度の組み合わせを収束演算処理をして求めることができる。
【００７７】
カラーチャンネル演算手段３１は、色テーブル２４に格納されているＬ＊ａ＊ｂ＊表色系の値と参照テーブル３２に格納されているＬ＊ａ＊ｂ＊→ＣＭＹ  ＬＵＴとに基づいてカラーチャンネルを生成する本発明の生成手段としての機能を有する。例えば、本出願人による特願２００３−０６４６２９号の明細書に記載されているように、Ｌ＊ａ＊ｂ＊→ＣＭＹ  ＬＵＴの入力点のＬ＊ａ＊ｂ＊で色テーブル２４に格納されているＬ＊ａ＊ｂ＊表色系の値のＬ＊ａ＊ｂ＊各値の近傍のＬ＊２点（Ｌ１、Ｌ２）、ａ＊２点（ａ１、ａ２）、ｂ＊２点（ｂ１、ｂ２）を組み合わせた８点についてのＣ，Ｍ，Ｙの出力強度と、Ｌ＊ａ＊ｂ＊表色系の値のＬ＊ａ＊ｂ＊各値の各入力点との距離とから、格納されているＬ＊ａ＊ｂ＊表色系の値に対するＣ，Ｍ，Ｙの出力強度の組み合わせを求めることができる。
【００７８】
また、本実施の形態では、参照テーブル３２としてＬ＊ａ＊ｂ＊→ＣＭＹ  ＬＵＴを格納するように説明したが、参照テーブル３２として各基本色の出力強度の組み合わせに対応するＬ＊ａ＊ｂ＊表色系の値との相関関係を定義したＣＭＹ→Ｌ＊ａ＊ｂ＊  ＬＵＴを格納しておいてもよい。その場合には、Ｌ＊ａ＊ｂ＊表色系の値を出力するためのＣＭＹの出力強度の組み合わせを求める際に、ＣＭＹ→Ｌ＊ａ＊ｂ＊  ＬＵＴからＬ＊ａ＊ｂ＊→ＣＭＹ  ＬＵＴを求めればよい。従って、本発明の「参照テーブル」としては、Ｌ＊ａ＊ｂ＊→ＣＭＹ  ＬＵＴやＣＭＹ→Ｌ＊ａ＊ｂ＊  ＬＵＴなど、複数の基本色の出力強度とＬ＊ａ＊ｂ＊表色系の値との間の対応関係を示すものであればよい。
【００７９】
カラーチャンネルテーブル３３は、上述の印刷用紙の地色と、各版または版の組み合わせの１／多次色を構成する画像記録部４におけるカラー銀塩感光材料上のＣＭＹの出力強度の組み合わせを図７に示すような構成で格納する。また、出力強度の組み合わせは、例えば、Ｙの出力強度を最小値０から最大値１４０、Ｍ，Ｃの出力強度を最小値０から最大値１６０として示す。
【００８０】
画像記録部４は、赤色（Ｒ）光により銀塩カラー感光材料のマゼンタ発色層（Ｍ層）を感光させ、緑色（Ｇ）光により銀塩カラー感光材料のシアン発色層（Ｃ層）を感光させ、青色（Ｂ）光により銀塩カラー感光材料のイエロー発色層（Ｙ層）を感光させ、現像処理を行い、基本色であるＹ、Ｍ、Ｃを顕在化して出力させ、カラー画像を形成する。この赤色（Ｒ）光、緑色（Ｇ）光、青色（Ｂ）光による感光は、点順次に画素毎にこれらの色の光を同時に照射して行う。
【００８１】
制御部１は、入力手段５から入力される各情報を各テーブルへ格納する機能や、各部の制御を行う機能を有すると共に、本発明の制御手段としての機能を有し、画像データから各版毎に分版された網点画像データに基づいて、画像記憶部４での各画素の出力強度の組み合わせをカラーチャンネルテーブル３３を参照して求め、画像記録部４で基本色であるＹ、Ｍ、Ｃの出力強度を変化させて出力するように、カラーチャンネルテーブル３３から求めたＹ、Ｍ、Ｃの出力強度データを、Ｂ、Ｒ、Ｇの露光出力強度データに変換し、画像記録部４の各色の光の強度を変化させるように制御する。このような機能を実現するために図示しないＣＰＵと、全体の制御を行うためのプログラム、Ｙ、Ｍ、Ｃの出力強度を変化させるプログラム、及び、各プログラムを実行するときに必要な各種データを記憶すると共に、各プログラムを実行するときのワークエリアを構成するシステムメモリ（図示せず）、を含んで構成される。
【００８２】
このようにして、カラープルーフ作成装置は、カラー銀塩感光材料上の基本色Ｙ、Ｍ、Ｃの出力強度を変化させることにより、印刷機で複数の版の各インキの網点画像を刷り重ねて印刷される色を再現してカラープルーフを作成する。
【００８３】
（色補正方法、及び、その色補正方法を用いる色調整方法）
次に、本発明の色補正方法、及び、その色補正方法を用いる色調整方法について述べる。説明をわかりやすくするために、カラープルーフ作成装置で行う処理の手順を説明しながら、色補正方法及び色調整方法の説明をする。
【００８４】
上述の色補正方法を含む色調整方法を適用した本実施の形態のカラープルーフ作成装置における処理の手順について図８に示すフローチャートを用いて説明する。ここで、透明度係数ａ、トラッピング率係数ｂ及び補正係数ｃは、係数テーブル２３に予め格納されている。また、各ステップを、例えば図４ステップＳ２１であれば省略してＳ２１と記すことにする。他のステップも同様である。
【００８５】
（Ｓ２１、Ｓ２２）
図８に示すように、まず、作業者が入力手段５を用いてカラープルーフの作成の指示とともに、使用する版、各版に用いるインキの色情報、各インキを印刷用紙に印刷したときの分光濃度、及び、印刷用紙の地色の分光濃度を入力すると、制御部１は、この入力を受けて、図２に示すように各分光濃度を色特性テーブル２２に格納し、図４に示すように版とともに色情報を色情報テーブル２７に格納する（１版にＣ、２版に特色、３版にＫを用いた場合を例にした。）。
【００８６】
（Ｓ２３）
次に、色演算手段２１で、複数のインキの版を印刷用紙上に刷り重ねて印刷して得られる多次色の分光濃度を求める。
【００８７】
例えば、１版と２版とで構成される色の分光濃度は、下側となる色である１版のインキ（第１の色材）（以下、インキ１と記す）を印刷用紙に印刷して得られる色（以下、色１と記す）の分光濃度を色特性テーブル２２から抽出し、この分光濃度をＳＤ１（λ）とする。上側となる色である２版のインキ（第２の色材）（以下、インキ２と記す）を印刷用紙に印刷して得られる色（以下、色２と記す）の分光濃度を色特性テーブル２２から抽出し、このＳＤ２（λ）とする。また、印刷用紙の地色（以下、色Ｗ１と記す）の分光濃度を色特性テーブル２２から抽出し、このＳＤＷ１（λ）とする。さらに、トラッピング率係数ｂ、透明度係数ａ、及び、補正係数ｃを係数テーブル２３から抽出する。
【００８８】
そして、印刷用紙にインキ１にインキ２を刷り重ねて得られる色（以下、色Ｍ１２と記す）、この場合は、印刷用紙にＫとＲを刷り重ねて得られる色を推定する。ここで、色Ｍ１２の分光濃度をＳＤＭ１２（λ）としてＳＤＭ１２（λ）を、
ＳＤＭ１２（λ）＝ａ×（ＳＤ１（λ）−ＳＤＷ１（λ））＋ｂ×（ＳＤ２（λ）−ＳＤＷ１（λ））＋ＳＤＷ１（λ）−ｃ×ａ×（ＳＤ１（λ）−ＳＤＷ１（λ））×ｂ×（ＳＤ２（λ）−ＳＤＷ１（λ））
として求める。
【００８９】
第１項では、ＳＤ１（λ）をａにより調整している。ａ×（ＳＤ１（λ）−ＳＤＷ１（λ））は、インキ２を介して得られるインキ１自体の分光濃度を示す。つまり、ＳＤ１（λ）からＳＤＷ１（λ）を減算することにより、印刷用紙の分光濃度ＳＤＷ１（λ）を排除したインキ１自体の分光濃度が得られ、さらに、インキ２の透明度を透明度係数ａとして掛けることにより、インキ２を介して得られるインキ１自体の分光濃度となっている。
【００９０】
第２項では、ＳＤ２（λ）をｂにより調整している。ｂ×（ＳＤ２（λ）−ＳＤＷ１（λ））は、インキ１上に重ねたときのインキ２自体の分光濃度を示す。つまり、ＳＤ２（λ）からＳＤＷ１（λ）を減算することにより、印刷用紙の分光濃度ＳＤＷ１（λ）を排除したインキ２自体の分光濃度が得られ、さらに、インキ２に設定されたトラッピング率係数ｂとして掛けることにより、インキ１上に重ねたときのインキ２自体の分光濃度となる。
【００９１】
第３項は、上記２項では印刷用紙の分光濃度ＳＤＷ１（λ）が排除されているので、分光濃度ＳＤＷ１（λ）を加算している。
【００９２】
第４項ｃ×ａ×（ＳＤ１（λ）−ＳＤＷ１（λ））×ｂ×（ＳＤ２（λ）−ＳＤＷ１（λ））は、補正値算出のための補正項であり、インキ１自体の分光濃度またはインキ２自体の分光濃度が比較的高い濃度を示す波長で、上述の３項の和により得られる分光濃度が測定値に比べ大きくなるために、インキ１自体の分光濃度またはインキ２自体の分光濃度が比較的高い濃度のときに減じる値を大きくして補正するようにａ×（ＳＤ１（λ）−ＳＤＷ１（λ））とｂ×（ＳＤ２（λ）−ＳＤＷ１（λ））との積に補正係数ｃとを掛けたものである。言い換えれば、ＳＤ１（λ）とＳＤ２（λ）との積に比例する値となっている。
【００９３】
また、ここで用いる各インキに設定された係数値ａ、ｂ、及び、ｃは、複数の刷り重ねた色について分光濃度ＳＤを測定し、その複数の刷り重ねた色についての測定による分光濃度と推定による分光濃度の差が最も小さくなるように予め求めておけばよい。
【００９４】
同様に１版と３版とで構成される色の分光濃度、２版と３版とで構成される色の分光濃度を求める。そして、１版と２版と３版とで構成される色の分光濃度を求めるが、これは、上述のようにして求めた１版と２版とで構成される色の分光濃度をＳＤ１（λ）として３版のインキを印刷用紙に印刷して得られる色の分光濃度をＳＤ２（λ）として同様に求めることができる。
【００９５】
（Ｓ２４）
さらに、色特性テーブル２２に格納されている各分光濃度とＳ２３で求めた多次色の分光濃度のそれぞれからＬ＊ａ＊ｂ＊表色系の値を求め、色の種類に応じてＬ＊ａ＊ｂ＊表色系の値を補正し、色テーブル２４に格納する手順を図９を用いて説明する。図９は本発明の色補正方法の手順を示すフローチャートである。
【００９６】
まず、色演算手段２１で、分光濃度をＬ＊ａ＊ｂ＊表色系の値に変換する（Ｓ１１）。分光濃度から表色系の値を求める工程は、一般的に知られたものであるから概略のみ記述する。
【００９７】
初めに、ＸＹＺ表色系の値のＸ、Ｙ、Ｚを求める。まず、分光濃度ＳＤＭ１２（λ）から各波長の分光反射率ＲＭ１２（λ）
ＲＭ１２（λ）＝１０＾（−２×ＳＤＭ１２（λ））
（ただし、ａ＾ｂの表記は、ａのｂ乗を示す。）
の式により求め、Ｘは、ＲＭ１２（λ）にｘ（λ）を掛けた値を全波長（３８０ｎｍから７３０ｎｍ）について足し合わせて求め、Ｙは、ＲＭ１２（λ）にｙ（λ）を掛けた値を全波長（３８０ｎｍから７３０ｎｍ）について足し合わせて求め、Ｚは、ＲＭ１２（λ）にｚ（λ）を掛けた値を全波長（３８０ｎｍから７３０ｎｍ）について足し合わせて求める。このｘ（λ），ｙ（λ），ｚ（λ）は、ＣＩＥ（  Ｃｏｍｍｉｓｓｉｏｎ  Ｉｎｔｅｒｎａｔｉｏｎａｌｅ  ｄｅ  ｌ’Ｅｃｌａｉｒａｇｅ  （国際照明委員会））で定められているＣＩＥ１９３１  ＸＹＺ表色系等色関数ｘ（λ），ｙ（λ），ｚ（λ）（ＣＩＥ１９３１中では、このｘ，ｙ，ｚの上にはバー（−）が付けられている。）の値とＤ５０標準光源の値とを掛け合わせた値である。
【００９８】
そして、求めたＸＹＺ表色系の値のＸ、Ｙ、Ｚから、Ｌ＊ａ＊ｂ＊表色系の値のＬ＊値、ａ＊値、ｂ＊値を求める。まず、
Ｘｄ＝Ｘ／Ｘ０、Ｙｄ＝Ｙ／Ｙ０、Ｚｄ＝Ｚ／Ｚ０とする。ただし、Ｘ０、Ｙ０、Ｚ０は、それぞれｘ（λ），ｙ（λ），ｚ（λ）を全波長（３８０ｎｍから７３０ｎｍ）について足し合わせた値である。そして、
Ｘ２＝Ｘｄ＾（１／３）              ；Ｘｄ＞０．００８８５６の場合
＝Ｘｄ×７．７８７＋１６／１１６；それ以外の場合
Ｙ２＝Ｙｄ＾（１／３）              ；Ｙｄ＞０．００８８５６の場合
＝Ｙｄ×７．７８７＋１６／１１６；それ以外の場合
Ｚ２＝Ｚｄ＾（１／３）              ；Ｚｄ＞０．００８８５６の場合
＝Ｚｄ×７．７８７＋１６／１１６；それ以外の場合
と、Ｘ２、Ｙ２、Ｚ２を求め、
Ｌ＊＝Ｙ２×１１６−１６
ａ＊＝５００×（Ｘ２−Ｙ２）
ｂ＊＝２００×（Ｙ２−Ｚ２）
と、Ｌ＊値、ａ＊値、ｂ＊値で示されるＬ＊ａ＊ｂ＊表色系の値を求める。
【００９９】
次に、色補正手段２５は、色演算手段２１で求めたＬ＊ａ＊ｂ＊表色系の値の版の構成を色情報テーブル２７を参照し、その版構成から色の種類を判断する（Ｓ１２）。さらに、色補正テーブル２６を参照し（Ｓ１３）、その色の種類についてＬ＊ａ＊ｂ＊表色系の値を補正しない場合には（Ｓ１４、Ｎ）、色演算手段２１で求めたＬ＊ａ＊ｂ＊表色系の値をその色のＬ＊ａ＊ｂ＊表色系の値として色テーブル２４に格納する（Ｓ１６）。補正する場合には（Ｓ１４、Ｙ）、色演算手段２１で求めたＬ＊ａ＊ｂ＊表色系の値を色補正テーブル２６の補正内容（後述）に従って補正し（Ｓ１５）、補正したＬ＊ａ＊ｂ＊表色系の値をその色のＬ＊ａ＊ｂ＊表色系の値として色テーブル２４に格納する（Ｓ１６）。
【０１００】
（Ｓ２５）
次に、カラーチャンネル演算手段３１は、色テーブル２４に格納されたＬ＊ａ＊ｂ＊表色系の値と参照テーブル３２のＬ＊ａ＊ｂ＊→ＣＭＹ  ＬＵＴとから、印刷用紙の地色と、１／多次色を構成する版または版の組み合わせの複数の基本色の出力強度の組み合わせを求め、カラーチャンネルテーブル３３に図７に示すような構成で格納する。
【０１０１】
（Ｓ２６）
そして、制御部１は、カラーチャンネルテーブル３３を参照し、画像データから各版毎に分版された網点画像データに基づいて複数の基本色の出力強度を変化させるように画像記録部４を制御し、画像記録部４はその制御に従って画像形成を行う。
【０１０２】
（補正内容）
ここで、Ｓ１５で行う色補正について説明する。本実施の形態のような校正用カラープリンタでは、銀塩カラー感光材料の色材の特性から校正用カラープリンタのＣの色調を印刷物のＬ＊ａ＊ｂ＊表色系の値に合わせこむ（上述の補正を行わない場合）とＣ単色の色調が印刷物と違って見える場合がある。また、Ｋの色調を印刷物のＬ＊ａ＊ｂ＊表色系の値に合わせこむ（上述の補正を行わない場合）とＫ単色の色調が印刷物と違って見える場合や、濃度が不足して見える場合がある。したがって、Ｃ、Ｋ、Ｋと他色との刷り重ね（ＫＣ，ＫＭ，ＫＹ，ＫＲ，ＫＧ，ＫＢ，ＫＣＭＹ）の色（少なくともＫを含む組み合わせ）について、一例として後述のような補正を行う。
【０１０３】
（ＣのＬ＊ａ＊ｂ＊表色系の値の補正例）
Ｃ（上述の例では１版で印刷した色）について、色補正テーブル２６を参照すると、例えば図５に示すように、補正内容が「補正値（Ｌ＊：−１、ａ＊：＋２．５）」とある。したがって、Ｓ１１で求めたＬ＊ａ＊ｂ＊表色系の値のＬ＊については補正値〔−１．０〕で補正し、ａ＊については補正値〔＋２．５〕で補正する。例えば、Ｌ＊ａ＊ｂ＊表色系の値（Ｌ＊、ａ＊、ｂ＊）が（５２．６、−３７．７、−４８．３）の場合、補正後の値は（５１．６、−３５．２、−４８．３）となる。
【０１０４】
（ＫのＬ＊ａ＊ｂ＊表色系の値の補正例）
Ｋ（上述の例では３版で印刷した色）について、色補正テーブル２６を参照すると、例えば図５に示すように、補正内容が「補正テーブル（Ｋ）を用いてＬ＊値からＬ＊ａ＊ｂ＊表色系の値を新たに求める。」とある。図１０に補正テーブル（Ｋ）を示す。この補正テーブル（Ｋ）は、入力のＬ＊について、採用すべきＬ＊ａ＊ｂ＊表色系の値（つまり、補正された値）を示す。補正テーブル（Ｋ）に基づいてＳ１１で求めたＬ＊ａ＊ｂ＊表色系の値のＬ＊値から、Ｌ＊ａ＊ｂ＊表色系の値（Ｌ＊、ａ＊、ｂ＊）を求める。つまり、Ｌ＊ａ＊ｂ＊表色系の値（Ｌ＊、ａ＊、ｂ＊）が（１６．０、ａ＊、ｂ＊）の場合、補正後の値は（１５．８、４．４、−２．４）となる。この場合、ａ＊、ｂ＊はＳ１１で求めた値に関わらず、Ｌ＊値に応じて補正テーブルの出力側の値となり、Ｋの色調を合わせることができる。また、Ｌ＊は、補正前のＬ＊が大きくなるにつれて補正後のＬ＊が減少する幅が大きくなっており、Ｌ＊が大きい場合、つまり、明度が高いにＬ＊を大きく減少させて濃度不足を補っている。また、Ｓ１１で求めたＬ＊値が補正テーブル（Ｋ）の入力側の値に対し中間的な値の場合には、前後の点のデータから補間して求める。
【０１０５】
（Ｋと他色との刷り重ね（ＫＣ，ＫＭ，ＫＹ，ＫＲ，ＫＧ，ＫＢ，ＫＣＭＹ）のＬ＊ａ＊ｂ＊表色系の値の補正例）
Ｋと他色との刷り重ね（上述の例では１版と３版、２版と３版で印刷した色、または、１版と２版と３版で印刷した色）について、色補正テーブル２６を参照すると、例えば図５に示すように、補正内容が「補正テーブル（＋Ｋ）を用いてＬ＊値のみ補正。」とある。図１１に補正テーブル（＋Ｋ）を示す。この補正テーブル（＋Ｋ）は、入力のＬ＊について、採用すべきＬ＊値（つまり、補正された値）を示す。補正テーブル（＋Ｋ）に基づいて、Ｓ１１で求めたＬ＊ａ＊ｂ＊表色系の値のＬ＊値のみを補正する。つまり、Ｌ＊ａ＊ｂ＊表色系の値（Ｌ＊、ａ＊、ｂ＊）が（１６．０、ａ＊、ｂ＊）の場合、補正後の値は（１５．８、ａ＊、ｂ＊）となる。この場合、ａ＊、ｂ＊はＳ１１で求めた値のままで、Ｌ＊値のみ補正される。また、Ｓ１１で求めたＬ＊値が補正テーブル（＋Ｋ）の入力側の値に対し中間的な値の場合には、前後の点のデータから補間して求める。ここで、Ｌ＊についての補正テーブル（＋Ｋ）の各値は、補正テーブル（Ｋ）のＬ＊についての値と同じであり、ＫとＬ＊値（明度）の相対関係を維持できる。
【０１０６】
このように、図８及び図９のフローチャートに示した手順によれば、版構成から色の種類を判断できるので、補正を要する色の種類のＬ＊ａ＊ｂ＊表色系の値を自動的に補正して適切なカラーチャンネルテーブルを生成し、複数のインキの網点画像をそれぞれの版を用いて印刷用紙上に刷り重ねて印刷して得られる１／多次色、及び印刷用紙の色を再現することができる。
【０１０７】
また、図８及び図９のフローチャートに示した手順では、分光濃度からＬ＊ａ＊ｂ＊表色系の値を求めたが、複数のインキの網点画像をそれぞれの版を用いて印刷用紙上に刷り重ねて印刷して得られる１／多次色からＬ＊ａ＊ｂ＊表色系の値を測定し、版構成と関連付けして、測定して得られたＬ＊ａ＊ｂ＊表色系の値を版構成から色の種類を判断して補正を要する色のＬ＊ａ＊ｂ＊表色系の値を自動的に補正することができる。
【０１０８】
また、上述の色補正もしくはカラーチャンネルテーブル生成をＰＣ（Ｐｅｒｓｏｎａｌ  Ｃｏｍｐｕｔｅｒ）等の情報処理装置を用いて行い、その色補正結果もしくはカラーチャンネルテーブルをフロッピー（登録商標）ディスク等の媒体を介してカラープルーフ作成装置が取得し、カラー画像の形成に用いるようにすることも可能である。
【０１０９】
また、ＰＣ等の情報処理装置とカラープルーフ作成装置とからなる画像出力システムにおいて、上述の色補正もしくはカラーチャンネルテーブル生成する機能をＰＣ等の情報処理装置に備え、その色補正結果もしくはカラーチャンネルテーブルをインターフェイスを介してカラープルーフ作成装置が取得し、カラー画像の形成に用いるようにすることも可能である。
【０１１０】
なお、複数のインキの網点画像をそれぞれの版を用いて印刷用紙上に刷り重ねて印刷して得られる多次色を本出願人が特願２００３−２９２８８９で提案したようなインキ１、インキ２及び印刷用紙のＬ＊ａ＊ｂ＊表色系の値と、Ｌ＊ａ＊ｂ＊表色系の値の分光特性とは異なる分光特性による濃度を測定し、刷り重ねた色のＸＹＺ表色系の値のうちの少なくとも１つの値についてはＬ＊ａ＊ｂ＊表色系の値及び異なる分光特性による濃度を用いて求めてもよい。
【図面の簡単な説明】
【０１１１】
【図１】本発明に係るカラープルーフ作成装置の構成を示す機能ブロック図である。
【図２】本実施の形態の色特性テーブルの構成の一例を示す説明図である。
【図３】本実施の形態の係数テーブルの構成の一例を示す説明図である。
【図４】本実施の形態の色情報テーブルの構成の一例を示す説明図である。
【図５】本実施の形態の色補正テーブルの構成の一例を示す説明図である。
【図６】本実施の形態の色テーブルの構成の一例を示す説明図である。
【図７】本実施の形態のカラーチャンネルテーブルの構成の一例を示す説明図である。
【図８】本発明の色調整方法を適用したカラープルーフ作成装置における処理手順を示すフローチャートである。
【図９】本発明の色補正方法の手順を示すフローチャートである。
【図１０】本発明の色補正に用いる補正テーブルの一例を示す説明図である。
【図１１】本発明の色補正に用いる補正テーブルの一例を示す説明図である。
【符号の説明】
【０１１２】
１  制御部
２  色演算部
２１  色演算手段
２２  色特性テーブル
２３  係数テーブル
２４  色テーブル
２５  色補正手段
２６  色補正テーブル
２７  色情報テーブル
３  カラーチャンネル作成部
３１  カラーチャンネル演算手段
３２  参照テーブル
３３  カラーチャンネルテーブル
４  画像記録部
５  入力手段
【図１】
2005292220.tif 000003
【図２】
2005292220.tif 000004
【図３】
2005292220.tif 000005
【図４】
2005292220.tif 000006
【図５】
2005292220.tif 000007
【図６】
2005292220.tif 000008
【図７】
2005292220.tif 000009
【図８】
2005292220.tif 000010
【図９】
2005292220.tif 000011
【図１０】
2005292220.tif 000012
【図１１】
2005292220.tif 000013